(57)【要約】  電力の演算を実現する。開示された電力演算装置は、パルス化された第１入力電力に対する演算をする電力演算装置であって、前記第１入力電力を蓄える蓄電部４５２と、前記第１入力電力に対する演算結果に相当する出力電力を前記蓄電部４５２から出力する演算処理を実行する処理回路４５１と、を備える。
2019221035.tif 000002
【特許請求の範囲】
【請求項１】
パルス化された第１入力電力に対する演算をする電力演算装置であって、
前記第１入力電力を蓄える蓄電部と、
前記第１入力電力に対する演算結果に相当する出力電力を前記蓄電部から出力する演算処理を実行する処理回路と、
を備える電力演算装置。
【請求項２】
前記処理回路は、複数の種別の演算処理を実行可能なスイッチ回路である
請求項１に記載の電力演算装置。
【請求項３】
選択された種別の演算処理が実行されるように前記処理回路を制御するコントローラを更に備える
請求項２に記載の電力演算装置。
【請求項４】
前記第１入力電力は、第１入力電力パケットに含まれ、
前記第１入力電力パケットは、前記コントローラにおいて、前記演算処理に関する制御に用いられる演算情報を含む
請求項３に記載の電力演算装置。
【請求項５】
前記演算情報は、前記演算処理の種別を示す演算種別情報を有し、
前記コントローラは、前記処理回路にて実行される演算処理として、前記演算種別情報が示す演算処理を選択する
請求項４に記載の電力演算装置。
【請求項６】
前記演算情報は、第２入力電力を有する第２入力電力パケットの識別情報を有し、
前記出力電力は、前記第１入力電力と、前記識別情報によって識別される前記第２入力電力パケットの前記第２入力電力と、に対する演算結果に相当する電力である
請求項４又は５に記載の電力演算装置。
【請求項７】
前記コントローラは、前記演算処理の実行の可否を判定するよう構成されている
請求項３から６のいずれか１項に記載の電力演算装置。
【請求項８】
前記演算処理の実行の可否の判定は、前記蓄電部の電圧を所望の電圧にするために行われる
請求項７に記載の電力演算装置。
【請求項９】
前記処理回路は、前記蓄電部へ電力を蓄える入力状態及び前記出力電力を前記蓄電部から出力する出力状態を含む複数の状態に切り替え可能に構成されている
請求項１から８のいずれか１項に記載の電力演算装置。
【請求項１０】
前記出力電力を有する出力電力パケットを生成するパケット生成部を更に備える
請求項１から９のいずれか１項に記載の電力演算装置。
【請求項１１】
請求項１から１０のいずれか１項に記載の電力演算装置を備える
電力伝送システム。
【請求項１２】
電力パケットのデータ構造であって、
伝送される電力を有するペイロードと、
ペイロードが有する電力に対する演算結果に相当する電力を出力する演算処理を実行する電力演算装置が、前記演算処理に関する制御に用いる演算情報と、
を備える電力パケットのデータ構造。
【発明の詳細な説明】
【技術分野】
【０００１】
本開示は、電力の演算に関する。本出願は、２０１８年５月１４日出願の日本出願第２０１８−０９２６６８号に基づく優先権を主張し、前記日本出願に記載された全ての記載内容を援用する。
【背景技術】
【０００２】
特許文献１及び特許文献２は、電力パケットが伝送される電力伝送システムを開示している。電力パケットは、伝送される電力がパルス化されたパイロードと、ヘッダなどの情報タグと、を備えている。
【先行技術文献】
【特許文献】
【０００３】
【特許文献１】国際公開第２０１４／１８９０５１号
【特許文献２】国際公開第２０１４／０７７１９１号
【発明の概要】
【０００４】
電力パケットのように電力をパルス化することで、電力を離散化して伝送することができる。電力が離散化されていることで、電力の伝送量をパケット又はパルスの個数又は密度として考えることができる。
【０００５】
本開示は、上述の電力の離散化した伝送という特徴を生かすべく、離散化電力を演算するという概念を提示する。
【０００６】
本開示の第１の側面は、電力演算装置である。電力演算装置は、パルス化された入力電力に対する演算をする。電力演算装置は、入力電力を蓄える蓄電部と、入力電力に対する演算結果に相当する出力電力を前記蓄電部から出力する演算処理を実行する処理回路と、を備える。
【０００７】
本開示の他の側面は、電力伝送システムである。電力伝送システムは、前記電力演算装置を備える。
【０００８】
本開示のさらに他の側面は、電力パケットのデータ構造である。データ構造は、伝送される電力を有するペイロードと、前記演算処理に関する制御に用いる演算情報と、を備える。演算情報は、電力演算装置に用いられる。
【０００９】
更なる詳細は、後述の実施形態として説明される。
【図面の簡単な説明】
【００１０】
【図１】図１は、電力伝送システムの構成図である。
【図２】図２Ａは、ルータの回路図である。図２Ｂは、ルータのスイッチ回路図である。
【図３】図３は、処理回路図である。
【図４】図４Ａは、非演算状態の処理回路図である。図４Ｂは、入力状態の処理回路図である。図４Ｃは、入出力状態の処理回路図である。図４Ｄは、出力状態の処理回路図である。
【図５】図５は、電力パケットのデータ構造図である。
【図６】図６は、コントローラによる処理の説明図である。
【図７】図７Ａは、入力電力パケットの説明図である。図７Ｂは、ＡＮＤの真理値表である。
【図８】図８Ａは、入力電圧を示す図である。図８Ｂは、出力電圧を示す図である。
【図９】図９Ａは、出力電流を示す図である。図９Ｂは、蓄電部の電圧変化を示す図である。
【図１０】図１０Ａは、ＡＮＤ演算の入力電圧及び出力電圧を示す図である。図１０Ｂは、ＡＮＤ演算の出力電流を示す図である。
【図１１】図１１は、ＯＲ，ＮＯＴ，ＥＸＯＲ，ＮＯＲ，ＮＡＮＤの真理値表を示す図である。
【図１２】図１２Ａは、入力電圧を示す図である。図１２Ｂは、出力電圧を示す図である。
【図１３】図１３Ａは、出力電流を示す図である。図１３Ｂは、蓄電部の電圧変化を示す図である。
【図１４】図１４Ａは、ＮＡＮＤ演算の入力電圧及び出力電圧を示す図である。図１４Ｂは、ＮＡＮＤ演算の出力電流を示す図である。
【図１５】図１５は、コントローラによる処理の説明図である。
【図１６】図１６Ａは、蓄電部の電圧の状態遷移図である。図１６Ｂは、入力、演算種別、出力および状態を示す表である。図１６Ｃは、制御例における状態遷移図である。
【図１７】図１７は、蓄電部の電圧変化を示す図である。
【発明を実施するための形態】
【００１１】
＜１．電力演算装置、電力伝送システム、電力パケットのデータ構造の概要＞
【００１２】
（１）実施形態に係る電力演算装置は、パルス化された第１入力電力に対する演算をする。電力演算装置は、前記第１入力電力を蓄える蓄電部を備える。蓄電部は、例えば、キャパシタである。電力演算装置は、前記第１入力電力に対する演算結果に相当する出力電力を前記蓄電部から出力する演算処理を実行する処理回路を備える。処理回路の出力電力は、入力電力に対する演算結果となっているため、電力の演算が実現される。なお、ここでの電力の演算は、演算結果が物理的な電力量として反映されるものであり、演算結果が論理的な値にすぎない一般的な信号演算とは異なる。なお、蓄電部は、信号演算において、信号を記憶するメモリに相当する要素として機能する。
【００１３】
電力演算装置は、特許文献１又は２に記載の電力ルータに組み込まれていてもよいし、電力ルータとは別の装置として、電力伝送システム中に設けられていてもよい。電力演算装置が、電力ルータに組み込まれていると、ルータ内部の演算処理で、電力パケットの電力を変化させることができる。
【００１４】
（２）前記処理回路は、複数の種別の演算処理を実行可能なスイッチ回路として構成されてもよい。複数の種別の演算処理を実行可能であることで、汎用性が高まる。また、多数の処理回路を集積化することで、電力演算集積回路を実現できる。
【００１５】
（３）前記電力演算装置は、選択された種別の演算処理が実行されるように前記処理回路を制御するコントローラを更に備えることができる。コントローラが、処理回路を制御することで、同一の処理回路に様々な種別の演算処理を実行させることができる。すなわち、書き換え可能な処理回路が実現される。
【００１６】
（４）パルス化された電力は、電力パケットに含まれていてもよい。すなわち、前記第１入力電力は、第１入力電力パケットに含まれていてもよい。電力パケットは、例えば、ペイロードにおいて電力を有することができる。
【００１７】
前記第１入力電力パケットは、前記コントローラにおいて、前記演算処理に関する制御に用いられる演算情報を含むことができる。この場合、電力パケットの演算情報によって、演算処理を制御することができる。
【００１８】
（５）前記演算情報は、前記演算処理の種別を示す演算種別情報を有することができる。前記コントローラは、前記処理回路にて実行される演算処理として、前記演算種別情報が示す演算処理を選択することができる。この場合、演算種別情報によって、処理回路にて実行される演算処理の種別を制御することができる。
【００１９】
（６）前記演算情報は、第２入力電力を有する第２入力電力パケットの識別情報を有することができる。前記出力電力は、前記第１入力電力と、前記識別情報によって識別される前記第２入力電力パケットの前記第２入力電力と、に対する演算結果に相当する電力であってもよい。すなわち、前記コントローラは、前記第１入力電力と、前記識別情報によって識別される前記第２入力電力パケットの前記第２入力電力と、に対する演算結果に相当する出力電力を前記蓄電部から出力する演算処理を実行することができる。
【００２０】
（７）前記コントローラは、前記演算処理の実行の可否を判定するよう構成されていてもよい。この場合、コントローラは、電力演算装置が、電力パケットを受け入れて、演算処理を実行するか否かを選択することができる。
【００２１】
前記演算処理の実行の可否の判定は、前記蓄電部の電圧及び演算対象となる入力電力パケットの入力電力に基づいて行われるのが好ましい。
【００２２】
前記演算処理の実行の可否の判定は、さらに、前記演算処理の種別に基づいて行われるのが好ましい。
【００２３】
（８）前記演算処理の実行の可否の判定は、前記蓄電部の電圧を所望の電圧にするために行われるのが好ましい。
【００２４】
（９）前記処理回路は、前記蓄電部へ電力を蓄える入力状態及び前記出力電力を前記蓄電部から出力する出力状態を含む複数の状態に切り替え可能に構成されているのが好ましい。前記複数の状態は、前記蓄電部へ前記入力電力を蓄えることと前記出力電力を前記蓄電部から出力することが同時に行われる入出力状態を更に含んでもよい。前記複数の状態は、前記蓄電部へ前記入力電力を蓄えることも前記出力電力を前記蓄電部から出力することも行わない非演算状態を更に含んでもよい。
【００２５】
（１０）前記出力電力を有する出力電力パケットを生成するパケット生成部を更に備えることができる。この場合、出力電力を有する電力パケットを生成でき、出力電力の伝送が可能となる。
【００２６】
（１１）実施形態に係る電力伝送システムは、（１）から（１０）のいずれか１項に記載の電力演算装置を備えることができる。
【００２７】
（１２）実施形態に係る電力パケットのデータ構造は、伝送される電力を有するペイロードと、ペイロードが有する電力に対する演算結果に相当する電力を出力する演算処理を実行する電力演算装置が、前記演算処理に関する制御に用いる演算情報と、を備える。
【００２８】
前記演算情報は、前記演算処理の種別を示す演算種別情報を有することができる。前記演算種別情報は、前記電力演算装置が、前記演算処理の種別を選択するために用いられる。
【００２９】
前記演算情報は、演算対象となる電力パケットの識別情報を有することができる。前記識別情報は、前記電力演算装置が、前記演算処理の対象となる電力パケットを識別するために用いられる。
【００３０】
＜２．電力演算装置、電力伝送システム、電力パケットのデータ構造の例＞
【００３１】
図１は、電力伝送システム１０を示している。システム１０は、電源２０から負荷５０へ電力を電力パケット６０によって伝送するネットワークである。電源２０は、例えば、発電設備又は電池である。実施形態において、電源２０は、直流電源である。
【００３２】
システム１０は、ミキサ３０を備える。ミキサ３０は、電源２０から供給される電力から、電力パケット６０を生成する。図１に示す電力パケット６０は、パルス化された電力を有するペイロード６２と、ヘッダ６１及びフッタ６３からなる情報タグと、を備えている。ミキサ３０が生成した電力パケット６０は、システム１０内のルータ４０へ送信される。
【００３３】
図１に示すように、ミキサ３０は、コントローラ３１と、ゲートドライバ３２と、スイッチ回路３３と、を備えている。図示のスイッチ回路３３は、２入力１出力回路である。スイッチ回路３３の２入力には、それぞれ、電源２０，２０が接続されている。スイッチ回路３３は、２つの電源２０，２０のいずれか一方から電力パケット６０を生成し、出力することができる。
【００３４】
スイッチ回路３３は、入力と出力との間に設けられたスイッチ素子３０１，３０５を備えている。スイッチ素子３０１，３０５のＯＮ／ＯＦＦ切り替えにより、図１に示す電力パケット６０が生成される。各スイッチ素子３０１，３０５と出力との間には、ダイオード３０３，３０７が設けられている。ダイオード３０３，３０７は、入力側から出力側へ向かう方向の電流を許容し、逆方向への電流を阻止する。なお、スイッチ素子３０１，３０５と、ダイオード３０３，３０７との間には、一端がグランドに接続された抵抗３０２，３０６の他端が接続されている。
【００３５】
コントローラ３１は、スイッチ素子３０１，３０５のスイッチング制御のための制御信号を、ゲートドライバ３２に与える。ゲートドライバ３２は、制御信号に従って、スイッチ素子３０１，３０５のＯＮ／ＯＦＦを制御するゲート電圧を出力する。スイッチ素子３０１がＯＮ／ＯＦＦ制御されると、スイッチ素子３０１に接続された電源２０からの電力により電力パケットが生成され、出力される。また、スイッチ素子３０５がＯＮ／ＯＦＦ制御されると、スイッチ素子３０５に接続された電源２０からの電力により電力パケットが生成され、出力される。
【００３６】
システム１０は、ルータ４０を備える。電力パケット６０は、ルータ４０を介して、ネットワーク内で転送され、負荷へ到達する。ルータ４０は、ネットワーク内で、電力パケット６０を中継する。ルータ４０は、電力パケット６０を転送するルートを決定するルーティングを行う。実施形態のルータ４０は、電力演算装置として機能する。ルータ４０は、入力された電力パケットの電力に対する演算を行い、演算結果に相当する電力を有する電力パケットを出力することができる。
【００３７】
図２Ａに示すように、ルータ４０は、コントローラ４１と、ゲートドライバ４２と、スイッチ回路４３と、アイソレータ４４と、を備えている。図示のスイッチ回路４３は、２入力２出力回路である。スイッチ回路４３は、入力された電力パケットをいずれの出力から送出するかを選択することができる。出力の選択により、電力パケットのルーティングが行われる。
【００３８】
図示のスイッチ回路４３は、２つの電力演算部４５０Ａ、４５０Ｂを備える。電力演算部４５０Ａ，４５０Ｂは、それぞれ、処理回路４５１と蓄電部４５２とを備える。実施形態の蓄電部４５２は、キャパシタによって構成されている。蓄電部は、応答が早いストレージ素子であってもよい。
【００３９】
スイッチ回路４３の各入力には、それぞれ、２つのスイッチ素子が接続されている。例えば、第１の入力には、スイッチ素子４０１及びスイッチ素子４０２が並列に接続されている。スイッチ素子４０１がＯＮになると、第１の入力は、電力演算部４５０Ｂに接続される。スイッチ素子４０２がＯＮになると、第１の入力は、電力演算部４５０Ａに接続される。また、第２の入力には、スイッチ素子４０３及びスイッチ素子４０４が並列に接続されている。スイッチ素子４０３がＯＮになると、第２の入力は、電力演算部４５０Ｂに接続される。スイッチ素子４０４がＯＮになると、第２の入力は、電力演算部４５０Ａに接続される。
【００４０】
各スイッチ素子４０１，４０２，４０３，４０４と電力演算部４５０Ａ，４５０Ｂとの間には、ダイオード４０５，４０６，４０７，４０８が設けられている。ダイオード４０５，４０６，４０７，４０８は、入力側から電力演算部４５０Ａ，４５０Ｂへ向かう方向の電流を許容し、逆方向への電流を阻止する。
【００４１】
電力演算部４５０Ａ，４５０Ｂの各出力には、それぞれ、２つのスイッチ素子が接続されている。例えば、電力演算部４５０Ａの出力には、スイッチ素子４１１及びスイッチ素子４１２が並列に接続されている。スイッチ素子４１１がＯＮになると、電力演算部４５０Ａの出力は、第２の出力に接続される。スイッチ素子４１２がＯＮになると、電力演算部４５０Ａの出力は、第１の出力に接続される。また、電力演算部４５０Ｂの出力には、スイッチ素子４１３及びスイッチ素子４１４が並列に接続されている。スイッチ素子４１３がＯＮになると、電力演算部４５０Ｂの出力は、第２の出力に接続される。スイッチ素子４０４がＯＮになると、電力演算部４５０Ｂの出力は、第１の出力に接続される。
【００４２】
各スイッチ素子４１１，４１２，４１３，４１４と出力との間には、ダイオード４１５，４１６，４１７，４１８が設けられている。ダイオード４１５，４１６，４１７，４１８は、電力演算部４５０Ａ，４５０Ｂから出力へ向かう方向の電流を許容し、逆方向への電流を阻止する。
【００４３】
図３は、電力演算部４５０Ａ，４５０Ｂの回路図である。電力演算部は、処理回路４５１は、蓄電部４５２への充放電を制御するスイッチ回路である。図３の処理回路４５１は、３つのスイッチ素子５０１，５０２，５０３を備える。また、処理回路４５１は、意図されている方向にだけ電流を流すためのダイオード５１１，５１２，５１３，５１４が設けられている。さらに、処理回路４５１の入力（図３の処理回路４５１の左端）とダイオード５１１との間には、一端がグランドに接続された抵抗５０５の他端が接続されている。
【００４４】
図４Ａは、３つのスイッチ素子５０１，５０２，５０３がすべてＯＦＦである状態を示している。図４Ａの状態において、処理回路４５１の入力に電力パケットが与えられたとしても、処理回路４５１は、電力パケットを受け付けない。図４Ａの状態は、非演算状態である。非演算状態では、入力された電力を蓄電部４５２へ蓄えることは行われず、処理回路４５１からの電力の出力も行われない。
【００４５】
図４Ｂは、スイッチ素子５０１がＯＮであり、スイッチ素子５０２，５０３がＯＦＦである状態を示している。図４Ｂの状態は、電力の入力状態（蓄電状態）である。入力状態では、処理回路４５１の入力に与えられた電力が、蓄電部４５２に蓄えられる。
【００４６】
図４Ｃは、スイッチ素子５０１，５０２，５０３がすべてＯＮである状態を示している。図４Ｃの状態は、電力の入出力状態（蓄電・放電状態）である。入出力状態では、処理回路４５１に与えられた電力が、蓄電部４５２に蓄えられるとともに、蓄電部４５２に蓄えられた電力を処理回路４５１から出力することができる。
【００４７】
図４Ｄは、スイッチ素子５０２，５０３がＯＮであり、スイッチ素子５０１がＯＦＦである状態を示している。図４Ｄの状態は、電力の出力状態（放電状態）である。出力状態では、蓄電部４５２に蓄えられた電力を処理回路４５１から出力することができる。
【００４８】
図２Ａに戻り、コントローラ４１は、スイッチ回路４３に含まれるスイッチ素子のスイッチング制御のための制御信号を、ゲートドライバ４２に与える。ゲートドライバ４２は、制御信号に従って、スイッチ回路４３に含まれるスイッチ素子のＯＮ／ＯＦＦを制御するゲート電圧を出力する。
【００４９】
コントローラ４１が、スイッチ素子４０１，４０２，４０３，４０４のＯＮ／ＯＦＦ制御をすることにより、入力された電力パケットの電力を、複数の電力演算部４５０Ａ，４５０Ｂのいずれに与えるかが選択される。また、スイッチ素子４１１，４１２，４１３，４１４のＯＮ／ＯＦＦ制御により、いずれの電力演算部４５０Ａ，４５０Ｂから出力された電力から生成される電力パケットを、スイッチ回路４３（ルータ４０）の２出力のうちのいずれから出力するかが選択される。
【００５０】
スイッチ素子４１１，４１２，４１３，４１４は、電力演算部４５０Ａ，４５０Ｂから出力された電力から、ヘッダ６１及びフッタ６３を有する電力パケット６０を生成するパケット生成部を構成している。スイッチ素子４１１，４１２，４１３，４１４のＯＮ／ＯＦＦにより、ヘッダ６１及びフッタ６３を構成するパルスが生成される。
【００５１】
コントローラ４１が、スイッチ素子５０１，５０２，５０３のＯＮ／ＯＦＦ制御をすることにより、処理回路４５１の状態は、非演算状態、入力状態、入出力状態、及び出力状態のいずれかに一つに選択的に切り替えられる。処理回路４５１の状態の切り替えにより所望の演算処理が実行される。演算処理の詳細は、後述する。
【００５２】
図５は、実施形態に係るパケット６０のヘッダ６１を示している。ヘッダ６１は、アイソレータ４４を介して、コントローラ４１により読み取られる。ヘッダ６１は、パケットＩＤ６０１が格納される領域を有している。パケットＩＤ６０１は、パケットの識別子である。ヘッダ６１は、演算情報６０２が格納される領域を有している。演算情報６０２は、コントローラ４１において、電力の演算処理に関する制御に用いられる。
【００５３】
演算情報６０２は、演算種別情報６１１を有する。演算種別情報６１１は、電力演算部４５０Ａ，４５０Ｂで行われる演算処理の種別を示す。演算処理は、論理演算であってもよいし、四則演算処理であってもよい。論理演算は、例えば、ＡＮＤ演算、ＯＲ演算、ＮＯＴ演算、ＸＯＲ演算、ＮＯＲ演算、及びＮＡＮＤ演算を含む。四則演算は、例えば、加算（ＡＤＤ）及び減算（ＳＵＢ）を含む。演算種別情報６１１は、これらの演算のうち、どの種別の演算が、電力パケットに対して行われるかを示す。
【００５４】
演算情報６０２は、演算対象識別情報６１２を有する。演算対象識別情報６１２は、演算処理の演算対象となる電力パケットのＩＤ６０１を示す。演算対象識別情報６１２は、他の電力パケット６０のＩＤ６０１を示す。演算対象識別情報６１２は、自パケット６０のＩＤ６０１を示してもよい。演算対象識別情報６１２は、複数のパケット６０のＩＤ６０１を含むことができる。
【００５５】
ヘッダ６１は、アドレス情報６０３が格納される領域を有している。アドレス情報６０３は、ルータ４０におけるルーティングに用いられる。アドレス情報６０３は、送信元アドレス６２１及び送信先アドレス６２２を有する。
【００５６】
図６は、コントローラ４１によって実行される処理を示している。コントローラ４１によって実行される処理は、演算種別識別処理７０１を含む。演算種別識別処理７０１では、電力パケット６０に含まれる演算種別情報６１１が読み取られ、電力パケット６０に対する演算種別が識別される。図６において、ＩＤ６０１がＡである電力パケット６０及びＩＤ６０１がＢである電力パケット６０の演算種別情報６１１は、演算種別として「ＡＮＤ」を示している。したがって、演算種別識別処理７０１では、演算種別として「ＡＮＤ」が識別される。
【００５７】
コントローラ４１によって実行される処理は、演算対象識別処理７０２を含む。演算対象識別処理７０２では、電力パケット６０に含まれる演算対象識別情報６１２が読み取られ、演算の対象となる電力パケット６０が識別される。図６において、ＩＤ６０１がＡである電力パケット６０の演算対象識別情報６１２は、演算対象のＩＤとして、Ｂを示している。また、ＩＤ６０１がＢである電力パケット６０の演算対象識別情報６１２は、演算対象のＩＤとして、Ａを示している。したがって、コントローラ４１は、演算種別「ＡＮＤ」の演算対象として、ＩＤがＡの電力パケット６０と、ＩＤがＢの電力パケット６０とを識別する。
【００５８】
コントローラ４１によって実行される処理は、演算対象の電力を検出する処理７０３を含む。検出処理７０３では、例えば、演算対象の電力量又は電力量が示す論理値が検出される。演算対象の電力量は、例えば、コントローラ４１が、アイソレータ４４を介して、ペイロード６２の時間長さ、又は電圧値を測定することで、検出される。演算対象の電力量は、ヘッダ６１に格納された電力情報（図示省略）を読み取ることによって検出されてもよい。演算対象の電力量が示す論理値は、例えば、ペイロード６２の電圧値を識別することで、検出される。例えば、ペイロード６２圧値が、閾値よりも高ければ（Ｈｉｇｈレベルである場合）、論理値“１”が検出され、閾値よりも低ければ（Ｌｏｗレベルである場合）、論理値“０”が検出される。電力量が示す論理値は、ヘッダ６１に格納された電力情報（図示省略）を読み取ることによって検出されてもよい。
【００５９】
コントローラ４１によって実行される処理は、演算制御処理７０４を含む。演算制御処理７０４では、演算対象の電力パケット６０が有する電力に対する演算結果に相当する電力を処理回路４５１から出力させる演算処理を処理回路４５１に実行させるように、処理回路４５１を制御する。例えば、ＩＤがＡの電力パケット６０が有する電力量が示す論理値がＰ１であり、ＩＤがＢの電力パケット６０が有する電力量が示す論理値がＰ２である場合、Ｐ１  ＡＮＤ  Ｐ２の演算結果に相当する電力が、処理回路４５１から出力される。例えば、Ｐ１  ＡＮＤ  Ｐ２が、１であれば、Ｈｉｇｈレベルの電圧が処理回路４５１から出力され、Ｐ１  ＡＮＤ  Ｐ２が、０であれば、Ｌｏｗレベルの電圧が処理回路４５１から出力される。なお、ＡＮＤ演算及びその他の演算における、処理回路４５１の動作の詳細については後述する。
【００６０】
コントローラ４１によって実行される処理は、パケット生成処理７０５を含む。パケット生成処理７０５では、スイッチ素子４１１，４１２，４１３，４１４が制御され、処理回路４５１から出力された電力（演算結果に相当する電力）をペイロード６２に有する電力パケット６０（図６において、ＩＤ６０１がＣである電力パケット）を生成する。生成された電力パケット６０は、ルータ４０から出力される。
【００６１】
以下、演算処理の例として、論理演算であるＡＮＤ演算、ＯＲ演算、ＮＯＴ演算、ＸＯＲ演算、ＮＯＲ演算、及びＮＡＮＤ演算について説明する。ここでは、電力パケットの時間長を一定とする。電力パケットの長さをｔとし、その長さｔを、各電力パケットの時間枠とよぶ。ある時間枠の電圧がＨｉｇｈレベルであれば、“１”、Ｌｏｗレベルであれば“０”と論理を定義する。“１”と“０”の割り当て方法を、図７Ａに示す。ここでは、連続する２つの電力パケットｆ，ｂを一つのペアとみなす。ここでの論理演算は、これら連続した２個の電力パケットｆ，ｂを入力として定義される。図７Ａの例では、“１０”が入力された後に、“１１”が入力されている。入力に対する演算結果は、電力パケットｂの時間枠に出力されるものとする。
【００６２】
また、以下の説明では、簡単のために、ヘッダ６１及びフッタ６３からなる情報タグは０ビットとし、ペイロード６２のみが存在するものとする。ここでは、電力パケットｆ，ｂそれぞれの長さｔを０．０５秒とし、論理演算を行うクロック周期Ｔを０．１秒とした。処理回路４５１の入力に与えられる電圧は、１０Ｖの直流電圧とし、蓄電部４５２の初期電圧を８．０Ｖとした。各時間枠における入力電力パケットの論理値は、０又は１からそれぞれ１／２の確率で選択される。
【００６３】
図７Ｂは、ＡＮＤの真理値表を示している。ＡＮＤ演算の場合、図７Ｂに示すように、入力電力パケットｆ，ｂが“１１”の場合、ｂの時間枠において１が出力され、それ以外の場合には、０が出力される。
【００６４】
ＡＮＤ演算の演算処理アルゴリズムは、以下のとおりである。
【００６５】
初期状態において、処理回路４５１のスイッチ素子５０１，５０２，５０３はすべて開かれている。そして、電力パケットｆ，ｂの論理値が識別される。電力パケットｆの時間枠において、電力パケットｆの論理値が“１”であることが検出されると、処理回路４５１のスイッチ素子５０１が閉じられ、電力パケットｆの電力が蓄電部４５２に蓄えられる入力状態となる（図４Ｂ参照）。
【００６６】
電力パケットｆの論理値が“０”であることが検出された場合、処理回路４５１のスイッチ素子５０１，５０２，５０３はすべて開かれたままである（図４Ａ参照）。
【００６７】
電力パケットｆの論理値が“１”である場合に、電力パケットｂの時間枠において電力パケットｂの論理値が“１”であることが検出されると、処理回路４５１のすべてのスイッチ素子５０１，５０２，５０２が閉じられ、入出力状態となる（図４Ｃ参照）。この入出力状態においては、電力パケットｂの電力が、蓄電部４５２に蓄えられつつ、蓄電部４５２の電力が出力される。
【００６８】
電力パケットｆの論理値が“０”である場合に、電力パケットｂの時間枠において電力パケットｂの論理値が“１”であることが検出されると、処理回路４５１のスイッチ素子５０１が閉じられ、電力パケットｂの電力が蓄電部４５２に蓄えられる入力状態となる（図４Ｂ参照）。
【００６９】
電力パケットｂの時間枠において電力パケットｂの論理値が“０”であることが検出された場合、処理回路４５１のスイッチ素子５０１，５０２，５０３はすべて開かれる（図４Ａ参照）。
【００７０】
図８Ａ、図８Ｂ、図９Ａ及び図９Ｂは、以上のＡＮＤの演算処理アルゴリズムを図３の電力演算部において実行したシミュレーション結果を示している。図８Ａは、入力電力パケットｆ，ｂのペアを１０個示している。図８Ｂは、出力電力パケットの電圧を示し、図９Ａは、出力電流を示している。図８Ｂの出力は、図７Ｂの真理値表に従った演算結果に相当する電圧を示しているため、正しい結果であると言える。
【００７１】
図９Ｂは、蓄電部４５２の電圧を示している。“１０”入力の場合には、電力パケットｆの電力が、蓄電部４５２に蓄積されるため、蓄電部４５２の電圧が上昇する。“１１”入力の場合、電力パケットｆの電力が、蓄電部４５２に蓄積されて、蓄電部４５２の電圧が上昇し、電力パケットｂの電力は、蓄電部４５２への蓄積と、電力出力に用いられる。“０１”入力の場合、電力パケットｂの電力が、蓄電部４５２に蓄積されて、蓄電部４５２の電圧が上昇する。以上より、ＡＮＤ演算が正しく実行されていることがわかる。
【００７２】
図１０Ａ及び図１０Ｂは、ＡＮＤ演算の実験結果を示している。実験では、ペイロード６２にヘッダ６１が付加されたパケット６０を演算対象とした。ヘッダ６１は、演算種別情報６１１を有する。演算種別情報６１１は、演算の種別を示す。実験において、ペイロード６１は、第１ペイロード部ｆ及び第２ペイロード部ｂを有する。実験では、第１ペイロード部ｆ及び第２ペイロード部ｂに対して、演算種別情報６１１が示す演算が行われる。ここでは、演算種別情報６１１は、ＡＮＤ演算を示す。したがって、図３の電力演算部で実行される演算処理アルゴリズムは、ＡＮＤ演算に設定される。なお、実験では、図５に示すパケットＩＤ６０１、演算対象情報６１２及びアドレス情報６０３は省略した。
【００７３】
図１０Ａでは、電力演算部に入力されるパケットの第１ペイロード部ｆ及び第２ペイロード部ｂのペアが４個示されているとともに、電力演算部から出力されるパケットの第１ペイロード部ｆ及び第２ペイロード部ｂのペアも４個示されている。図１０Ｂは、出力電流Ｉoutを示している。図１０Ａ及び図１０Ｂの出力（OUTPUT）も、シミュレーション結果と同様に図７Ｂの真理値表に従った演算結果に相当する電圧及び電流を示している。
【００７４】
図１１は、ＯＲ演算の真理値表Ｔ１、ＮＯＴ演算の真理値表Ｔ２、ＥＸＯＲ演算の真理値表Ｔ３、ＮＯＲ演算の真理値表Ｔ４、ＮＡＮＤ演算の真理値表Ｔ５を示している。
【００７５】
ＯＲ演算の演算処理アルゴリズムは、以下のとおりである。
【００７６】
初期状態において、処理回路４５１のスイッチ素子５０１，５０２，５０３はすべて開かれている。そして、電力パケットｆ，ｂの論理値が識別される。電力パケットｆの時間枠において、電力パケットｆの論理値が“１”であることが検出されると、処理回路４５１のスイッチ素子５０１が閉じられ、電力パケットｆの電力が蓄電部４５２に蓄えられる入力状態となる（図４Ｂ参照）。
【００７７】
電力パケットｆの論理値が“０”であることが検出された場合、処理回路４５１のスイッチ素子５０１，５０２，５０３はすべて開かれたままである（図４Ａ参照）。
【００７８】
電力パケットｂの時間枠において電力パケットｂの論理値が“１”であることが検出されると、処理回路４５１のすべてのスイッチ素子５０１，５０２，５０３が閉じられ、入出力状態となる（図４Ｃ参照）。この入出力状態においては、電力パケットｂの電力が、蓄電部４５２に蓄えられつつ、蓄電部４５２の電力が出力される。
【００７９】
電力パケットｆの論理値が“１”である場合に、電力パケットｂの時間枠において電力パケットｂの論理値が“０”であることが検出されると、処理回路４５１のスイッチ素子５０２，５０３が閉じられ、蓄電部４５２の電力が、出力される出力状態となる（図４Ｄ参照）。
【００８０】
電力パケットｆの論理値が“０”である場合に、電力パケットｂの時間枠において電力パケットｂの論理値が“０”であることが検出されると、処理回路４５１のスイッチ素子５０１，５０２，５０３はすべて開かれたままである（図４Ａ参照）。
【００８１】
ＮＯＴ演算の演算処理アルゴリズムは、以下のとおりである。ＮＯＴ演算は、一つの電力パケットの電力に対する演算であるため、ここでは、電力パケットｂに対するＮＯＴ演算のアルゴリズムを説明する。
【００８２】
まず、電力パケットｂの論理値が識別される。電力パケットｂの時間枠において、電力パケットｂの論理値が“０”であることが検出されると、処理回路４５１のスイッチ素子５０２，５０３が閉じられ、蓄電部４５２の電力が、出力される出力状態となる（図４Ｄ参照）。
【００８３】
電力パケットｂの時間枠において、電力パケットｆの論理値が“１”であることが検出されると、処理回路４５１のスイッチ素子５０１が閉じられ、電力パケットｆの電力が蓄電部４５２に蓄えられる入力状態となる（図４Ｂ参照）。
【００８４】
ＥＸＯＲ演算の演算処理アルゴリズムは、以下のとおりである。
【００８５】
初期状態において、処理回路４５１のスイッチ素子５０１，５０２，５０３はすべて開かれている。そして、電力パケットｆ，ｂの論理値が識別される。電力パケットｆの時間枠において、電力パケットｆの論理値が“１”であることが検出されると、処理回路４５１のスイッチ素子５０１が閉じられ、電力パケットｆの電力が蓄電部４５２に蓄えられる入力状態となる（図４Ｂ参照）。
【００８６】
電力パケットｆの論理値が“０”であることが検出された場合、処理回路４５１のスイッチ素子５０１，５０２，５０３はすべて開かれたままである（図４Ａ参照）。
【００８７】
電力パケットｆの論理値が“０”である場合に、電力パケットｂの時間枠において電力パケットｂの論理値が“１”であることが検出されると、処理回路４５１のすべてのスイッチ素子５０１，５０２，５０３が閉じられ、入出力状態となる（図４Ｃ参照）。この入出力状態においては、電力パケットｂの電力が、蓄電部４５２に蓄えられつつ、蓄電部４５２の電力が出力される。
【００８８】
電力パケットｆの論理値が“１”である場合に、電力パケットｂの時間枠において電力パケットｂの論理値が“１”であることが検出されると、処理回路４５１のスイッチ素子５０１が閉じられ、電力パケットｆの電力が蓄電部４５２に蓄えられる入力状態となる（図４Ｂ参照）。
【００８９】
電力パケットｆの論理値が“１”である場合に、電力パケットｂの時間枠において電力パケットｂの論理値が“０”であることが検出されると、処理回路４５１のスイッチ素子５０２，５０３が閉じられ、蓄電部４５２の電力が、出力される出力状態となる（図４Ｄ参照）。
【００９０】
ＮＯＲ演算の演算処理アルゴリズムは、以下のとおりである。
【００９１】
初期状態において、処理回路４５１のスイッチ素子５０１，５０２，５０３はすべて開かれている。そして、電力パケットｆ，ｂの論理値が識別される。電力パケットｆの時間枠において、電力パケットｆの論理値が“１”であることが検出されると、処理回路４５１のスイッチ素子５０１が閉じられ、電力パケットｆの電力が蓄電部４５２に蓄えられる入力状態となる（図４Ｂ参照）。
【００９２】
電力パケットｆの論理値が“０”であることが検出された場合、処理回路４５１のスイッチ素子５０１，５０２，５０３はすべて開かれたままである（図４Ａ参照）。
【００９３】
電力パケットｆの論理値が“０”である場合に、電力パケットｂの時間枠において電力パケットｂの論理値が“０”であることが検出されると、処理回路４５１のスイッチ素子５０２，５０３が閉じられ、蓄電部４５２の電力が、出力される出力状態となる（図４Ｄ参照）。
【００９４】
電力パケットｂの時間枠において電力パケットｂの論理値が“１”であることが検出されると、処理回路４５１のスイッチ素子５０１が閉じられ、電力パケットｆの電力が蓄電部４５２に蓄えられる入力状態となる（図４Ｂ参照）。
【００９５】
電力パケットｆの論理値が“１”である場合に、電力パケットｂの時間枠において電力パケットｂの論理値が“０”であることが検出されると、処理回路４５１のスイッチ素子５０１が閉じられ、電力パケットｆの電力が蓄電部４５２に蓄えられる入力状態となる（図４Ｂ参照）。
【００９６】
ＮＡＮＤ演算の演算処理アルゴリズムは、以下のとおりである。
【００９７】
初期状態において、処理回路４５１のスイッチ素子５０１，５０２，５０３はすべて開かれている。そして、電力パケットｆ，ｂの論理値が識別される。電力パケットｆの時間枠において、電力パケットｆの論理値が“１”であることが検出されると、処理回路４５１のスイッチ素子５０１が閉じられ、電力パケットｆの電力が蓄電部４５２に蓄えられる入力状態となる（図４Ｂ参照）。
【００９８】
電力パケットｆの論理値が“０”であることが検出された場合、処理回路４５１のスイッチ素子５０１，５０２，５０３はすべて開かれたままである（図４Ａ参照）。
【００９９】
電力パケットｆの論理値が“０”である場合に、電力パケットｂの時間枠において電力パケットｂの論理値が“０”であることが検出されると、処理回路４５１のスイッチ素子５０２，５０３が閉じられ、蓄電部４５２の電力が、出力される出力状態となる（図４Ｄ参照）。
【０１００】
電力パケットｆの論理値が“０”である場合に、電力パケットｂの時間枠において電力パケットｂの論理値が“１”であることが検出されると、処理回路４５１のすべてのスイッチ素子５０１，５０２，５０３が閉じられ、入出力状態となる（図４Ｃ参照）。この入出力状態においては、電力パケットｂの電力が、蓄電部４５２に蓄えられつつ、蓄電部４５２の電力が出力される。
【０１０１】
電力パケットｆの論理値が“１”である場合に、電力パケットｂの時間枠において電力パケットｂの論理値が“１”であることが検出されると、処理回路４５１のスイッチ素子５０１が閉じられ、電力パケットｆの電力が蓄電部４５２に蓄えられる入力状態となる（図４Ｂ参照）。
【０１０２】
電力パケットｆの論理値が“１”である場合に、電力パケットｂの時間枠において電力パケットｂの論理値が“０”であることが検出されると、処理回路４５１のスイッチ素子５０２，５０３が閉じられ、蓄電部４５２の電力が、出力される出力状態となる（図４Ｄ参照）。
【０１０３】
図１２Ａ、図１２Ｂ、図１３Ａ及び図１３Ｂは、ＮＡＮＤの演算処理アルゴリズムを図３の電力演算部において実行したシミュレーション結果を示している。図１２Ａは、入力電力パケットｆ，ｂのペアを１０個示している。図１２Ｂは、出力電力パケットの電圧を示し、図１３Ａは、出力電流を示している。図１３Ｂの出力は、図１１におけるＮＡＮＤの真理値表Ｔ５に従った演算結果に相当する電圧を示しているため、正しい結果であると言える。
【０１０４】
図１３Ｂは、ＮＡＮＤ演算実行時の蓄電部４５２の電圧を示している。“１０”入力の場合には、電力パケットｆの時間枠において、蓄電部４５２の電圧が上昇し、電力パケットｂの時間枠において、蓄電部４５２の電圧が減少する。“０１”入力の場合には、電力パケットｂの電力は、蓄電部４５２への蓄積と、電力出力に用いられる。“１１”入力の場合、電力パケットｆ及び電力パケットｂの電力が、蓄電部４５２に蓄積されて、蓄電部４５２の電圧が上昇する。“００”入力の場合、電力パケットｂの時間枠において、出力電力パケットが生成するため、蓄電部４５２の電圧が減少する。以上より、ＮＡＮＤ演算が正しく実行されていることがわかる。
【０１０５】
図１０Ａ及び図１０Ｂは、ＮＡＮＤ演算の実験結果を示している。ここでは、演算種別情報６１１は、ＮＡＮＤ演算を示す。したがって、図３の電力演算部で実行される演算処理アルゴリズムは、ＡＮＤ演算に設定される。図１４Ａでは、電力演算部に入力されるパケットの第１ペイロード部ｆ及び第２ペイロード部ｂのペアが４個示されているとともに、電力演算部から出力されるパケットの第１ペイロード部ｆ及び第２ペイロード部ｂのペアも４個示されている。図１４Ｂは、出力電流Ｉoutを示している。図１４Ａ及び図１４Ｂの出力（OUTPUT）も、シミュレーション結果と同様に図１１におけるＮＡＮＤの真理値表に従った演算結果に相当する電圧及び電流を示している。
【０１０６】
＜３．演算による蓄電部の電圧制御＞
【０１０７】
図１５は、コントローラ４１によって実行される処理の他の例を示している。図１５のコントローラ４１は、処理回路４５１に演算処理を実行させることにより、蓄電部４５２の電圧を所望の電圧に制御する。
【０１０８】
前述のように、蓄電部４５２の電圧は、演算によって変化する。例えば、“１０”入力に対してＡＮＤ演算が行われると、蓄電部４５２の電圧が上昇する。また、“００”入力に対してＮＡＮＤ演算が行われると、蓄電部４５２の電圧が減少する。したがって、実行される演算を適切に選択することで、蓄電部４５２の電圧を増減させる制御が可能である。蓄電部４５２の電圧の制御により、電力パケット６０の電圧を所望の電圧にすることができる。例えば、電力パケット６０の電圧を、規定の電圧に保ったり、伝送電力の調整のため、電圧を昇圧したり、降圧したりすることができる。
【０１０９】
実行される演算を適切に選択するには、電力パケット６０に対する演算処理の実行の可否を判定すればよい。例えば、蓄電部４５２の電圧を所望の電圧に維持又は変更できる演算処理については、実行可能と判定し、蓄電部４５２の電圧が所望の電圧から外れる演算処理については、実行できないと判定すればよい。ルータ４０は、演算処理を実行できないと判定された電力パケット６０については受け入れないことで、演算処理を実行可能な他のルータ４０に演算処理を委ねることができる。
【０１１０】
演算処理の実行の可否の判定のため、図１５に示すコントローラ４１は、蓄電部４５２の電圧検出処理７１１を実行する。電圧検出処理７１１により、コントローラ４１は、蓄電部４５２の電圧を監視することができる。
【０１１１】
そして、図１５に示すコントローラ４１は、演算可否判定処理７１２を実行する。演算可否判定処理７１２は、電圧検出処理７１１により検出された蓄電部４５２の電圧と、演算対象の電力パケット６０の電圧に基づいて行うことができる。例えば、処理回路４５１が単一の演算処理しか実行しない場合、演算処理を実行した後の蓄電部４５２の電圧は、演算処理を実行する前の蓄電部４５２の電圧と、演算対象の電力パケット６０の電圧と、によって決定される。
【０１１２】
したがって、演算可否判定処理７１２では、演算対象の電力パケット６０の電圧が、演算処理を実行する前の蓄電部４５２の電圧に鑑みて、蓄電部４５２の電圧を所望の電力状態にできるか否かの判定７１３を行えばよい。
【０１１３】
判定７１３において、所望の電力状態にできると判定された場合、演算制御処理７０４を実行する。一方、所望の電力状態から外れると判定された場合、電力パケットを受け入れないようにスイッチ制御７１５をする。演算制御処理７０４が実行された場合、処理回路４５１は、演算処理を行って、演算結果に相当する電力を出力する。コントローラ４１は、処理回路４５１から出力された電力から電力パケットを生成する処理７０４を実行する。
【０１１４】
実施形態においては、処理回路４５１は、複数の演算処理を実行可能であるため、演算処理を実行した後の蓄電部４５２の電圧は、さらに、演算の種別に依存する。そこで、図１５に示す演算可否判定処理７１２では、演算種別識別処理７０１によって識別された演算処理の種別と演算対象の電力パケット６０の電圧とが、演算処理を実行する前の蓄電部４５２の電圧に鑑みて、蓄電部４５２の電圧を所望の電力状態にできるか否かの判定７１３が行われる。
【０１１５】
図１６Ａ，図１６Ｂ，図１６Ｃ及び図１７は、蓄電部４５２の電圧の制御例を示している。ここでは、図１７に示すように、蓄電部４５２の電圧を、Ｓ−２，Ｓ−１，Ｓ０，Ｓ１，Ｓ２の５個の状態で表す。Ｓ−２は、８．５１Ｖ以上、８．８６Ｖ未満を示す。Ｓ−１は、８．１７Ｖ以上、８．５１Ｖ未満を示す。Ｓ０は、７．７４Ｖ以上、８．１７Ｖ未満を示す。Ｓ１は、７．５６Ｖ以上、７．７４未満を示す。Ｓ２は、７．０９Ｖ以上、７．３４Ｖ未満を示す。
【０１１６】
制御例では、蓄電部４５２の電圧を、概ね状態Ｓ０に保つ。図１６Ａは、状態Ｓ０まわりの状態遷移図を示している。図１６Ａにおいて、２桁の数値は、２つの入力電力パケットのペアの論理値を示し、論理値の上のＡ又はＮは、その論理値に対して実行されるＡＮＤ演算又はＮＡＮＤ演算を示す。
【０１１７】
例えば、状態Ｓ０において、“００”入力に対するＡＮＤ演算、“０１”入力に対するＮＡＮＤ演算、“１１”入力に対するＡＮＤ演算が行われた場合、“１０”入力に対するＮＡＮＤ演算が行われた場合、状態Ｓ０が維持される。ただし、蓄電部４５２の電圧によっては、“１０”入力に対するＮＡＮＤ演算が行われた場合、状態Ｓ０から状態Ｓ−１へ遷移することがある。
【０１１８】
状態Ｓ１において、“０１”入力に対するＡＮＤ演算、“１１”入力に対するＮＡＮＤ演算、“１０”入力に対するＡＮＤ演算が行われた場合、状態Ｓ０へ復帰する。
【０１１９】
したがって、概ね状態Ｓ０を維持したければ、状態Ｓ０を維持する演算だけ選択して実行するか、状態Ｓ０以外の状態に遷移したときに状態Ｓ０に復帰する演算を選択して実行すればよい。
【０１２０】
図１６Ｂは、入力電力パケットｆ，ｂ、選択された演算、出力、及び状態の例を示している。ここでは、選択される演算処理の種別は、ＡＮＤとＮＡＮＤとする。蓄電部４５２の初期の電圧は８Ｖ（状態Ｓ０）とする。図１６Ｂでは、演算周期（Ｔ１，Ｔ２，Ｔ３，Ｔ４，Ｔ５，Ｔ６，Ｔ７，Ｔ８，Ｔ９）において、（１０，１０，１１，００，１０，１１，１１，００，１１）が入力される。演算周期Ｔ１，Ｔ２，Ｔ３，Ｔ５，Ｔ６においては、演算処理の種別として、ＮＡＮＤが選択される。演算周期Ｔ４，Ｔ７，Ｔ８，Ｔ９においては、演算処理の種別として、ＡＮＤが選択される。
【０１２１】
図１６Ｃ及び図１７に示すように、演算周期Ｔ２の終了時点において、状態はＳ−１に落ちるが、演算周期Ｔ３において、蓄電部４５２の電圧を上昇させる演算である（“１１”入力に対するＮＡＮＤ）を実行することで、状態Ｓ０に復帰することができる。また、その他の演算周期においては、状態Ｓ０を維持することができた。
【０１２２】
＜４．付記＞
【０１２３】
本発明は、上記実施形態に限定されるものではなく、様々な変形が可能である。
【符号の説明】
【０１２４】
１０  電力伝送システム
２０  電源
３０  ミキサ
３１  コントローラ
３２  ゲートドライバ
３３  スイッチ回路
４０  ルータ（電力演算装置）
４１  コントローラ
４２  ゲートドライバ
４３  スイッチ回路
４４  アイソレータ
５０  負荷
６０  電力パケット
６１  ヘッダ
６２  ペイロード
６３  フッタ
３０１  スイッチ素子
３０２  抵抗
３０３  ダイオード
３０５  スイッチ素子
３０６  抵抗
３０７  ダイオード
４０１，４０２，４０３，４０４  スイッチ素子
４０５，４０６，４０７，４０８  ダイオード
４１１，４１２，４１３，４１４  スイッチ素子（パケット生成部）
４１５，４１６，４１７，４１８  ダイオード
４５０Ａ  電力演算部
４５０Ｂ  電力演算部
４５１  処理回路
４５２  蓄電部（キャパシタ）
５０１，５０２，５０３  スイッチ素子
５０５  抵抗
５１１，５１２，５１３，５１４  ダイオード
６０１  パケットＩＤ
６０２  演算情報
６０３  アドレス情報
６１１  演算種別情報
６１２  演算対象識別情報
６２１  送信元アドレス
６２２  送信先アドレス
７０１  演算種別識別処理
７０２  演算対象識別処理
７０３  電力検出処理
７０４  演算制御処理
７０５  パケット生成処理
７１１  電圧検出処理
７１２  演算可否判定処理
７１３  判定処理
７１５  電力パケットを受け入れない処理
【図１】
2019221035.tif 000003
【図２】
2019221035.tif 000004
【図３】
2019221035.tif 000005
【図４】
2019221035.tif 000006
【図５】
2019221035.tif 000007
【図６】
2019221035.tif 000008
【図７】
2019221035.tif 000009
【図８】
2019221035.tif 000010
【図９】
2019221035.tif 000011
【図１０】
2019221035.tif 000012
【図１１】
2019221035.tif 000013
【図１２】
2019221035.tif 000014
【図１３】
2019221035.tif 000015
【図１４】
2019221035.tif 000016
【図１５】
2019221035.tif 000017
【図１６】
2019221035.tif 000018
【図１７】
2019221035.tif 000019
【国際調査報告】
2019221035.tif 000020
2019221035.tif 000021
2019221035.tif 000022
2019221035.tif 000023